(57)【特許請求の範囲】
【請求項１】
複数の通信回線を収容可能な複数通信回線収容装置において、
接続されている各通信回線の種類を判断する通信回線種類判断手段と；
各通信回線種類毎に通信回線数をカウントする通信回線数カウント手段と；
各通信回線の名称を決定する通信回線名称決定手段と；
上記通信回線名称決定手段が決定した通信回線名称を表示する通信回線名称表示手段と；
を有し、上記通信回線名称決定手段は、通信回線の名称を決定する際に、上記通信回線の種類と、同一の通信回線種類の通信回線数に基づいて通信回線名称を決定することを特徴とする複数通信回線収容装置。
【請求項２】
複数の通信回線を接続可能な複数通信回線収容装置において、
上記接続されている通信回線毎に、オペレータが入力した通信回線名称を記憶する通信回線名称記憶手段と；
上記通信回線の名称を決定する複数の名称決定方法のうちで、オペレータが名称決定方法を選択する通信回線名称決定方法選択手段と；
上記通信回線名称記憶手段が記憶した通信回線名称と、上記通信回線名称決定方法選択手段が選択した名称決定方法とに基づいて、通信回線名称を決定する通信回線名称決定手段と；
上記通信回線名称決定手段が決定した通信回線名称を表示する通信回線名称表示手段と；
を有し、上記通信回線名称決定方法選択手段は、自動的に通信回線名称をつけるか否かを選択する手段であることを特徴とする複数通信回線収容装置。
【請求項３】
請求項１または請求項２において、
上記複数通信回線収容装置は、ファクシミリ装置であることを特徴とする複数通信回線収容装置。
【請求項４】
複数の通信回線を収容可能な複数通信回線収容装置に接続されている各通信回線の種類を判断する通信回線種類判断手順と；
各通信回線種類毎に通信回線数をカウントする通信回線数カウント手順と；
各通信回線の名称を決定する通信回線名称決定手順と；
上記通信回線名称決定手順で決定された通信回線名称を表示する通信回線名称表示手順と；
をコンピュータに実行させる通信回線名称決定プログラムであって、上記通信回線名称決定手順は、通信回線の名称を決定する際に、上記通信回線の種類と、同一の通信回線種類の通信回線数に基づいて通信回線名称を決定する手順であることを特徴とする通信回線名称決定プログラム。
【請求項５】
複数の通信回線を収容可能な複数通信回線収容装置に接続されている通信回線毎に、オペレータが入力した通信回線名称を記憶する通信回線名称記憶手順と；
上記通信回線の名称を決定する複数の名称決定方法のうちで、オペレータが名称決定方法を選択する通信回線名称決定方法選択手順と；
上記通信回線名称記憶手順で記憶した通信回線名称と、上記通信回線名称決定方法選択手順で選択した名称決定方法とに基づいて、通信回線名称を決定する通信回線名称決定手順と；
上記通信回線名称決定手順で決定された通信回線名称を表示する通信回線名称表示手順と；
をコンピュータに実行させる通信回線名称決定プログラムであって、上記通信回線名称決定方法選択手順は、自動的に通信回線名称をつけるか否かを選択する手順であることを特徴とする通信回線名称決定プログラム。
【請求項６】
複数の電話通信回線とＬＡＮ通信回線を接続可能な通信回線選択装置において、
通信回線を選択する通信回線選択キーと；
オペレータが通信の操作を行う際、上記通信回線選択キーを押下することによって、複数の上記通信回線の中から、１通信回線を選択する通信回線選択手段と；
を有し、上記通信回線選択手段は、さらに、上記通信回線選択キーを押下することによって、複数の上記通信回線の中から、別の１通信回線を選択することを特徴とする通信回線選択装置。
【請求項７】
複数の電話通信回線とＬＡＮ通信回線を接続可能な通信回線選択装置において、
通信回線を選択する通信回線選択キーと；
各通信回線が使用可能であるか否かを判断する通信回線状態判断手段と；
オペレータが通信の操作を行う際、上記通信回線選択キーを押下することによって、上記通信回線状態判断手段が使用可能であると判断した通信回線の中から、１通信回線を選択する通信回線選択手段と；
を有し、上記通信回線選択手段は、さらに、上記通信回線選択キーを押下することによって、上記複数の通信回線の中から、別の１通信回線を選択することを特徴とする通信回線選択装置。
【請求項８】
請求項７において、
上記通信回線状態判断手段は、使用可能な通信回線が、ファクシミリ通信用のＰＳＴＮであるか、ファクシミリ通信用のＩＳＤＮであるか、ＬＡＮ通信回線であるかを判断する手段であることを特徴とする通信回線選択装置。
【請求項９】
複数の電話通信回線とＬＡＮ通信回線とを接続可能にする通信回線選択用プログラムにおいて、
通信回線を選択する通信回線選択キーが操作されたか否かを判断する手順と；
上記通信回線選択キーの押下を判断させることによって、複数の上記通信回線の中から、１通信回線を選択する手順と；
上記通信回線選択キーの更なる押下を判断させることによって、複数の上記通信回線の中から、別の１通信回線を選択する手順と；
をコンピュータに実行させる通信回線選択用プログラム。
【請求項１０】
複数の電話通信回線とＬＡＮ通信回線とを接続可能にする通信回線選択用プログラムにおいて、
通信回線を選択する通信回線選択キーが操作されたか否かを判断する手順と；
通信回線が使用可能か否かを判断する通信回線状態判断手順と；
上記通信回線選択キーの押下を判断することによって、上記通信回線状態判断手順で使用可能と判断された通信回線の中から、１通信回線を選択する手順と；
上記通信回線選択キーの更なる押下を判断させることによって、複数の上記通信回線の中から、別の１通信回線を選択する手順と；
をコンピュータに実行させる通信回線選択用プログラム。
【請求項１１】
請求項１０において、
上記通信回線状態判断手順は、使用可能な通信回線が、ファクシミリ通信用のＰＳＴＮであるか、ファクシミリ通信用のＩＳＤＮであるか、ＬＡＮ通信回線であるかを判断する手順であることを特徴とする通信回線選択プログラム。
【請求項１２】
請求項１において、
通信回線を選択する通信回線選択キーと；
オペレータが通信の操作を行う際、上記通信回線選択キーを押下することによって、上記複数の通信回線の中から、１通信回線を選択する通信回線選択手段と；
を有し、上記通信回線選択手段は、さらに上記通信回線選択キーを押下することによって、複数の上記複数の通信回線の中から、別の１通信回線を選択することを特徴とする複数通信回線収容装置。
【請求項１３】
請求項１２において、
上記通信回線選択手段が選択している通信回線の通信回線名称を、上記通信回線名称決定手段が決定した上記通信回線名称に基づいて表示することを特徴とする複数通信回線収容装置。
【請求項１４】
請求項６において、
複数の通信回線を収容可能な複数通信回線収容装置に接続されている各通信回線の種類を判断する通信回線種類判断手段と；
上記通信回線種類判断手段で判断した通信回線種類に基づいて、通信回線名称を決定する通信回線名称決定手段と；
上記通信回線選択キーを押下することによって、選択された通信回線に対応する上記通信回線名称決定手段で決定された通信回線名称を表示する通信回線名称表示手段と；
を有することを特徴とする通信回線選択装置。
【請求項１５】
請求項６において、
接続されている通信回線毎に、オペレータが入力した通信回線名称を記憶する通信回線名称記憶手段と；
上記通信回線選択キーを押下することによって、選択された通信回線に対応する上記通信回線名称記憶手段に記憶されている通信回線名称を表示する通信回線名称表示手段と；
を有することを特徴とする通信回線選択装置。
【請求項１６】
請求項６において、
接続されている通信回線毎に、オペレータが入力した通信回線名称を記憶する通信回線名称記憶手段と；
上記通信回線の名称を決定する複数の名称決定方法のうちで、オペレータが名称決定方法を選択する通信回線名称決定方法選択手段と；
上記通信回線名称記憶手段が記憶した通信回線名称と、上記通信回線名称決定方法選択手段が選択した名称決定方法とに基づいて、通信回線名称を決定する通信回線名称決定手段と；
上記通信回線選択キーを押下することによって選択された通信回線に対応する通信回線名称であって、上記通信回線名称決定手段で決定された通信回線名称を表示する通信回線名称表示手段と；
を有することを特徴とする通信回線選択装置。
【請求項１７】
請求項９において、
接続されている各通信回線の種類を判断する通信回線種類判断手順と；
上記通信回線種類判断手順で判断した通信回線種類に基づいて、通信回線名称を決定する通信回線名称決定手順と；
上記通信回線選択キーを押下することによって選択された通信回線に対応する通信回線名称であって、上記通信回線名称決定手順で決定された通信回線名称を表示する通信回線名称表示手順と；
を有することを特徴とする通信回線選択用プログラム。
【請求項１８】
請求項９において、
接続されている通信回線毎に、オペレータが入力した通信回線名称を記憶する通信回線名称記憶手順と；
上記通信回線選択キーを押下することによって選択された通信回線に対応する通信回線名称であって、上記通信回線名称記憶手順に記憶されている通信回線名称を表示する通信回線名称表示手順と；
を有することを特徴とする通信回線選択用プログラム。
【請求項１９】
請求項９において、
上記接続されている通信回線毎に、オペレータが入力した通信回線名称を記憶する通信回線名称記憶手順と；
上記通信回線の名称を決定する複数の名称決定方法のうちで、オペレータが名称決定方法を選択する通信回線名称決定方法選択手順と；
上記通信回線名称記憶手段が記憶した通信回線名称と、上記通信回線名称決定方法選択手順が選択した名称決定方法とに基づいて、通信回線名称を決定する通信回線名称決定手順と；
上記通信回線選択キーを押下することによって選択された通信回線に対応する通信回線名称であって、上記通信回線名称決定手順で決定された通信回線名称を表示する通信回線名称表示手順と；
を有することを特徴とする通信回線選択用プログラム。
【発明の詳細な説明】
【０００１】
【発明の属する技術分野】
本発明は、ファクシミリ装置等の複数通信回線収容装置、画像形成装置、通信回線選択装置、通信回線選択プログラムに関する。
【０００２】
【従来の技術】
従来、複数の通信回線を接続可能なファクシミリ装置において、操作時や通信管理レポート等で、オペレータが各通信回線を区別できるようにするために、通信回線の番号を表示する。
【０００３】
また、従来のファクシミリ装置において、「内線」、「外線」というように、その通信回線の種類に応じて、通信回線の名称を表示している。
【０００４】
また、複数の通信回線を選択する場合には、通信回線の数に対応した回線選択用のキーを有し、オペレータはそのキーを押下することによって、複数の電話回線のうちのひとつを選択することが可能な装置があった。
【０００５】
また、ファクシミリ通信用の電話回線と電子メール用の通信回線を有するファクシミリ装置、または、ファクシミリ通信用の電話回線と電子メール用の通信回線の両方と接続可能なファクシミリ装置においては、ファクシミリ通信か電子メールかを選択するキーを有し、オペレータはそのキーを押下することによって、ファクシミリ通信か電子メールかを選択することが可能な装置があった。
【０００６】
【発明が解決しようとする課題】
しかし、通信回線の番号を表示するだけでは、その通信回線がどのような種類の通信回線であるのかを判断しにくいという問題がある。
【０００７】
また、「内線」、「外線」を表示した場合でも、使用者が必ずしもその表示と同じ使い方をするとは限らず、表示が実際に、そぐわない場合がある。これらは、オペレータが通信回線を識別する際に、混乱を招く原因になっている。
【０００８】
つまり、上記従来例では、複数の通信回線と接続可能な複数通信回線収容装置において、通信回線の名称を適切に表示することができず、また、オペレータが容易に通信回線を識別することができないという問題がある。
【０００９】
また、通信回線を選択する場合においても、電子メールを使用しないユーザにとっては、ファクシミリ通信か電子メールかを選択するキーや各回線に対応したキーは不要なものであり、電話回線選択用のキーは不要なものであるため、オペレーションパネル上に不要なキーが複数存在することになり、操作上の混乱を招いていた。また、１回線しか用いないユーザにとっても、他の回線のためのキーは不要であった。
【００１０】
また、複数のファクシミリ通信用回線と電子メール用回線を使用するユーザにとっては、通信の操作方法はほぼ同じであるにもかかわらず、ファクシミリ通信か電子メールかで押下するキーを変えなければならないという煩わしさがあった。
【００１１】
さらに、各回線が接続されていない状態や使用できない状態にあるにも関わらずその回線が選択できてしまう場合には、通信ができないなどの障害を招く原因になる場合があった。
【００１２】
上記問題は、ファクシミリ装置以外の複数通信回線収容装置においても生じる問題である。
【００１３】
本発明は、複数の通信回線と接続可能な複数通信回線収容装置において、通信回線の名称を適切に表示することができ、また、オペレータが容易に通信回線を識別することができる複数通信回線収容装置を提供することを目的とする。
【００１４】
また、本発明は、通信回線を選択する操作において、オペレータが混乱を招くことなく使用可能な通信回線を選択できるような通信回線選択装置を提供することを目的とする。
【００１５】
【課題を解決する手段】
本発明は、複数の通信回線を収容可能な複数通信回線収容装置において、接続されている各通信回線の種類を判断する通信回線種類判断手段と、各通信回線種類毎に通信回線数をカウントする通信回線数カウント手段と、上記通信回線種類判断手段が判断した通信回線種類と、上記通信回線数カウント手段がカウントした通信回線数とに基づいて、通信回線名称を決定する通信回線名称決定手段と、上記通信回線名称決定手段が決定した通信回線名称を表示する通信回線名称表示手段とを有する複数通信回線収容装置である。
【００１６】
また、本発明は、複数の通信回線に接続可能な通信回線選択装置において、通信回線を選択する通信回線選択キーと、オペレータが通信の操作を行う際、上記通信回線選択キーを押下することによって、複数の上記通信回線の中から、１通信回線を選択する通信回線選択手段とを有し、上記通信回線選択手段は、さらに、上記通信回線選択キーを押下することによって、複数の上記通信回線の中から、別の１通信回線を選択することを特徴とする。
【００１７】
【発明の実施の形態および実施例】
図１は、本発明の第１の実施例であるファクシミリ装置ＦＳ１の構成を示すブロック図である。
【００１８】
ファクシミリ装置ＦＳ１において、ＣＰＵ１０１は、システム制御部であり、装置全体を制御する。ＲＯＭ１０２は、ＣＰＵ１０１の制御プログラムを格納するものである。ＲＡＭ１０３は、ＳＲＡＭ等で構成され、プログラム制御変数等を格納するものである。また、オペレータが登録した送信宛先電話番号や、通信回線名称、通信回線名称決定方法等の各種設定値、装置の管理データ類、各種ワーク用バッファも、ＲＡＭ１０３に格納されるものである。
【００１９】
蓄積メモリ１０４は、ＤＲＡＭ等で構成され、画像データを蓄積するものである。外部表示部１０５は、ＬＣＤ、ＬＥＤ等でユーザに表示通知するものである。スピーカ１０６は、音声によってユーザに通知、警告をしたり、ＰＳＴＮ通信回線１０９またはＩＳＤＮ通信回線１１１を通して、送受している信号音をモニタするものである。
【００２０】
ＭＯＤＥＭ１０７は、ファクシミリ装置ＦＳ１の送受信信号の変復調を行うものであり、ＮＣＵ１０８は、選択信号（ダイヤルパルスまたはトーンダイヤラ）を、ＰＳＴＮ通信回線（アナログ公衆通信回線網）１０９に送出する機能を有し、呼び出し信号の検出による自動着信動作も行う。
【００２１】
ＣＣＵ１１０は、ＩＳＤＮ通信回線（総合デジタル通信網）１１１と接続する通信回線制御を行う。画像処理部１１２は、読み取られた画像データに補正処理を施し、高精細な画像データを出力するものである。スキャナ１１３は、ＣＳイメージセンサ、原稿搬送機構等で構成され、原稿を光学的に読み取り、電気的な画像データに変換するものである。
【００２２】
操作部１１４は、キーボード、タッチパネル等で構成され、オペレータが各種入力操作を行うものである。プリンタフォーマッタ１１５は、ＰＣやワークステーション等、外部機器からのファイルデータのプリントを行う際に、プリンタ記述言語を解析し、画像データに変換するものである。プリンタ１１６は、受信画像やファイルデータを、記録紙に記録する装置である。
【００２３】
ＬＡＮｉ／ｆ１１８は、電子メール等のやり取り可能なＬＡＮ通信回線１１９に、ファクシミリ装置ＦＳ１を接続するインタフェースであり、ＬＡＮ制御部１１７によって制御される。
【００２４】
ＭＯＤＥＭ１０７、ＮＣＵ１０８、ＣＣＵ１１０、ＬＡＮ制御部１１７、ＬＡＮｉ／ｆ１１８は、それぞれ、ファクシミリ装置ＦＳ１に着脱可能である。すなわち、たとえばＬＡＮ制御部１１７とＬＡＮｉ／ｆ１１８とがファクシミリ装置ＦＳ１から取り外された状態であれば、ＰＳＴＮ通信回線とＩＳＤＮ通信回線との２通信回線のみを有するファクシミリ装置になり、さらに、ＣＣＵ１１０も取り外された状態であれば、ＰＳＴＮ通信回線のみの１通信回線のファクシミリ装置になる。
【００２５】
また、上記実施例では、便宜上、ＰＳＴＮ通信回線とＩＳＤＮ通信回線とＬＡＮ通信回線とを、それぞれ１通信回線ずつ記載しているが、ファクシミリ装置ＦＳ１では、それぞれ複数通信回線が接続可能である。すなわち、ＭＯＤＥＭ１０７、ＮＣＵ１０８、ＣＣＵ１１０、ＬＡＮ制御部１１７、ＬＡＮｉ／ｆ１１８が、それぞれ複数接続可能であり、たとえば、ＰＳＴＮ３通信回線（ＩＳＤＮ通信回線とＬＡＮ通信回線とは無し）という装置構成や、ＰＳＴＮ２通信回線＋ＩＳＤＮ２通信回線＋ＬＡＮ通信回線２通信回線という装置構成もあり得る。
【００２６】
次に、ファクシミリ装置ＦＳ１の動作について説明する。
【００２７】
図２は、ファクシミリ装置ＦＳ１に接続されている通信回線の名称を決定する動作を示すフローチャートである。
【００２８】
ファクシミリ装置ＦＳ１は、ＰＳＴＮ通信回線とＩＳＤＮ通信回線とＬＡＮ通信回線との３種類の通信回線を接続可能である。ＰＳＴＮ通信回線とＩＳＤＮ通信回線とは、ファクシミリ通信用の回線であり、ＬＡＮ通信回線は、ＴＣＰ／ＩＰ等のプロトコルを用いた電子メール送受信やＦＴＰ、ＨＴＴＰ等のプロトコルを使用した通信のために使用されている。
【００２９】
ファクシミリ装置ＦＳ１では、通信回線の名称を決定する方法を、「自動」にするか「固定」にするかをオペレータが予め選択できる。オペレータが「固定」を選択したときには、通信回線名称を意味する任意の文字列を、通信回線毎に登録することができる。たとえば、ＰＳＴＮ通信回線とＩＳＤＮ通信回線とに、それぞれ１通信回線ずつ接続している場合には、ＰＳＴＮ通信回線に「内線」、ＩＳＤＮ通信回線に「外線」という文字列を登録することができる。これらの設定内容は、ＲＡＭ１０３に格納される。
【００３０】
ファクシミリ装置ＦＳ１では、通信中の状況表示や、送信設定時の表示、通信回線毎の各種設定を行う時の表示等を、外部表示部１０５に表示するが、このときに、オペレータが各通信回線を識別できるようにするために、通信回線名称を表示する。また、通信結果等の情報を、記録紙にプリントし、プリンタ１１６が出力するが、このときにも、各通信回線を識別できるようにするために通信回線名称を印字する。
【００３１】
外部表示部や記録紙上に、通信回線名称を表示する前に、各通信回線の名称を決定する必要があるが、この名称決定動作を、以下に説明する。
【００３２】
まず、通信回線名称決定方法が「自動」に設定されているか「固定」に設定されているかを判断する（Ｓ２０１）。「固定」に設定されている場合には、オペレータが登録した文字列を、通信回線毎に通信回線名称とする（Ｓ２０２）。Ｓ２０１では、「自動」に設定されていると判断すると、通信回線名称を自動で付ける（Ｓ２０３）。
【００３３】
次に、上記実施例において、自動で通信回線名称を付ける場合における各通信回線の種別を判断する動作について説明する。
【００３４】
図６は、ファクシミリ装置ＦＳ１に接続されている各通信回線の種別を判断する動作を示すフローチャートである。
【００３５】
Ｎを１とし（Ｓ６０１）、第Ｎ通信回線の種類を判断する（Ｓ６０２）。ＬＡＮ通信回線である場合には、第Ｎ通信回線をＬＡＮ通信回線として登録する（Ｓ６０３）。これと同様に、ＰＳＴＮ通信回線の場合には、第Ｎ通信回線をＰＳＴＮ通信回線として登録する（Ｓ６０４）。また、これと同様に、ＩＳＤＮ通信回線の場合には、第Ｎ通信回線をＩＳＤＮ通信回線として登録する（Ｓ６０５）。次に、他に通信回線があるか否かを判断する（Ｓ６０６）。他に通信回線がある場合は、その通信回線を第Ｎ＋１番目の通信回線として、通信回線の種別を判断し、他の通信回線がなくなるまで、Ｓ６０２の処理を行う通信回線の種別を判断する。これによって、ファクシミリ装置ＦＳ１に接続されている全ての通信回線の種別が判断される。
【００３６】
本実施例では、ＰＳＴＮ通信回線が使用可能であるか否かを判断する場合、ＭＯＤＥＭ１０７が存在するか否かで判断し、ＩＳＤＮ通信回線が使用可能であるか否かを判断する場合、ＣＣＵ１１０が存在するか否かで判断し、ＬＡＮ通信回線が使用可能であるか否かを判断する場合、ＬＡＮ制御部１１７が存在するか否かで判断する。
【００３７】
ただし、各通信回線を使用するか否かを、オペレータが予め設定できるようにし、その設定内容によって判断してもよく、その通信回線が現在使用中であるか否かに応じて、判断するようにしてもよい。
【００３８】
図３は、ファクシミリ装置ＦＳ１に接続されているＬＡＮ通信回線の名称を自動決定する動作を示すフローチャートである。
【００３９】
ファクシミリ装置ＦＳ１に接続されているＬＡＮ通信回線のうちで、その１つの通信回線の名称を決定するためには、まず、図６に示すフローチャートに基づいて登録した各通信回線の種別の情報に基づいて、ＬＡＮ通信回線が複数存在するか否かを判断する（Ｓ３０１）。
【００４０】
ここで、ＬＡＮ通信回線が複数存在していると判断した場合には、当該ＬＡＮ通信回線が、何番目の通信回線であるかを判断する。ここでいう「何番目か」という値は、複数のＬＡＮ通信回線を区別するために、便宜上付ける通信回線番号であり、たとえば、ＣＰＵに近い順に１、２、３、…、と付けるようにしてもよく、通信速度が速い順に付けてもよく、物理的に上の位置に接続されている通信回線から順につけるようにしてもよい。
【００４１】
何番目のＬＡＮ通信回線であるかを決定するために、まず、変数ｎに１をセットする（Ｓ３０２）、次にｎ番目（すなわち１番目）の通信回線であるか否かを判断する（Ｓ３０３）。ｎ番目の通信回線でなければ、ｎを１増やし（Ｓ３０４）、ｎ番目の通信回線であるか否かを判断する。Ｓ３０３では、ｎ番目の通信回線であると判断するまで、この処理を繰り返す。Ｓ３０３では、ｎ番目の通信回線であると判断すれば、次の手順Ｓ３０５へ進む。このときに、関数ｎには通信回線番号が格納されている。
【００４２】
手順Ｓ３０５では、ＬＡＮ以外の通信回線が存在するか否かを判断する。ここで、ＬＡＮ以外の通信回線が存在しないと判断すると、すなわちこの装置にはＬＡＮ通信回線のみが複数存在するということであるので、通信回線の名称を、「通信回線：ｎ」と決定する（Ｓ３０７）。一方、Ｓ３０５では、ＬＡＮ以外の通信回線があると判断すると、通信回線の名称を、「ＬＡＮ：ｎ」であると決定する（Ｓ３０６）。ただし、ここで、ｎは、手順Ｓ３０２、Ｓ３０３、Ｓ３０４で判断した通信回線番号の数値である。
【００４３】
Ｓ３０１で、ＬＡＮ通信回線が１つしか存在していないと判断すると、手順Ｓ３０５と同様にＬＡＮ以外の通信回線が存在するか否かを判断する（Ｓ３０８）。
【００４４】
ここで、ＬＡＮ以外の通信回線が存在しないと判断すれば、この装置には、ＬＡＮ通信回線が１つだけ存在し、ＰＳＴＮ通信回線とＩＳＤＮ通信回線とが無いということになる。
【００４５】
したがって、この場合は、通信回線を識別する通信回線名称を付ける必要はないので、名称は無しと決定する（Ｓ３１０）。Ｓ３０８では、ＬＡＮ以外の通信回線が存在していると判断すれば、通信回線名称を「ＬＡＮ」と決定する（Ｓ３０９）。
【００４６】
次に、ＰＳＴＮ通信回線のうちで、１つの通信回線の名称を決定する動作について説明する。
【００４７】
図４は、上記実施例において、ＰＳＴＮ通信回線のうちで、１つの通信回線の名称を決定する動作を示すフローチャートである。
【００４８】
まず、図６に示すフローチャートに応じて登録した各通信回線の種別の情報に基づいて、Ｓ４０１では、ＰＳＴＮ通信回線が複数存在しているか否かを判断する。
【００４９】
ここで、ＰＳＴＮ通信回線が複数存在していると判断した場合には、Ｓ４０２、Ｓ４０３、Ｓ４０４では、そのＰＳＴＮ通信回線が何番目の通信回線であるかを判断する。Ｓ４０２、Ｓ４０３、Ｓ４０４では、手順Ｓ３０２、Ｓ３０３、Ｓ３０４と同様の処理を実行する。ただし、Ｓ３０３では、ｎ番目のＬＡＮ通信回線であるか否かを判断したのに対し、Ｓ４０３では、ｎ番目のＰＳＴＮ通信回線であるか否かを判断する。
【００５０】
ＬＡＮ通信回線であるときと同様に、次の手順Ｓ４０５に進むときには、ｎに通信回線番号が格納される。
【００５１】
Ｓ４０５では、ＩＳＤＮ通信回線があるか否かを判断する。ＩＳＤＮ通信回線があると判断すると、すなわちファクシミリ装置ＦＳ１に、ファクシミリ用の通信回線として、ＰＳＴＮ通信回線とＩＳＤＮ通信回線とがあるということであるので、その名称は、「ＰＳＴＮ：ｎ」（ｎは通信回線番号の数値）と決定する（Ｓ４０７）。
【００５２】
Ｓ４０５では、ＩＳＤＮ通信回線がないと判断すると、ＬＡＮ通信回線があるか否かを判断する（Ｓ４０６）。ＬＡＮ通信回線があると判断すると、すなわちファクシミリ装置ＦＳ１には、ファクシミリ用の通信回線として、ＰＳＴＮ通信回線が複数と、電子メール等のためのＬＡＮ通信回線があるということであるので、その名称は、「ＦＡＸ：ｎ」と決定する（Ｓ４０８）。
【００５３】
Ｓ４０６では、ＬＡＮ通信回線がないと判断すると、すなわちファクシミリ装置ＦＳ１には、ＰＳＴＮ通信回線が複数存在しているのみで、ＩＳＤＮ通信回線とＬＡＮ通信回線とが存在しないので、通信回線の名称を、「通信回線：ｎ」と決定する（Ｓ４０９）。
【００５４】
Ｓ４０１では、ＰＳＴＮ通信回線が１つしかないと判断すると、Ｓ４０５、Ｓ４０６と同様に、Ｓ４１０、Ｓ４１１の判断処理を実行する。
【００５５】
Ｓ４１０では、ＩＳＤＮ通信回線があると判断すると、すなわち、ファクシミリ装置ＦＳ１には、ＩＳＤＮ通信回線とＰＳＴＮ通信回線とが存在し、ＰＳＴＮ通信回線は１つのみ存在するというので、その通信回線名称を、「ＰＳＴＮ」と決定する（Ｓ４１２）。
【００５６】
Ｓ４１０では、ＩＳＤＮ通信回線がないと判断すると、ＬＡＮ通信回線があるか否かを判断する（Ｓ４１１）。ここで、ＬＡＮ通信回線があると判断すると、すなわち、ファクシミリ装置ＦＳ１には、ファクシミリ用通信回線として、ＰＳＴＮ通信回線が１つ存在し、ＬＡＮ通信回線も存在するということであるので、その通信回線の名称を、「ＦＡＸ」と決定する（Ｓ４１３）。
【００５７】
Ｓ４１１では、ＬＡＮ通信回線がないと判断すると、すなわち、ファクシミリ装置ＦＳ１には、唯一ＰＳＴＮ通信回線のみがあるということであるので、通信回線を識別し、表示する必要は無いので、通信回線名称は無しと決定する（Ｓ４１４）。
【００５８】
次に、上記実施例おいて、ＩＳＤＮ通信回線のうちで、１つの通信回線名称を決定する動作について説明する。
【００５９】
図５は、上記実施例おいて、ＩＳＤＮ通信回線のうちで、１つの通信回線名称を決定する動作を示すフローチャートである。
【００６０】
ＩＳＤＮ通信回線の名称を決定する方法は、基本的にはＰＳＴＮ通信回線の名称を決定する手順と同様の方法である。
【００６１】
まず、図６で登録した各通信回線の種別の情報に基づいて、ＩＳＤＮ通信回線が複数存在しているか否かを判断し（Ｓ５０１）、ＩＳＤＮ通信回線が複数存在していれば、Ｓ５０２、Ｓ５０３、Ｓ５０４では、何番目のＩＳＤＮ通信回線であるかを判断する。Ｓ５０２、Ｓ５０３、Ｓ５０４の処理は、Ｓ３０２、Ｓ３０３、Ｓ３０４の処理、または、Ｓ４０２、Ｓ４０３、Ｓ４０４の処理と同様である。
【００６２】
次に、Ｓ５０５では、ＰＳＴＮ通信回線があるか否かを判断し、Ｓ５０６では、ＬＡＮ通信回線があるか否かを判断する。ＰＳＴＮ通信回線があれば、通信回線名称を、「ＩＳＤＮ：ｎ」と決定し（Ｓ５０７）、ＰＳＴＮ通信回線が無くＬＡＮ通信回線があれば、その名称を、「ＦＡＸ：ｎ」と決定し（Ｓ５０８）、ＰＳＴＮ通信回線もＬＡＮ通信回線も無ければ、その名称を、「通信回線：ｎ」と決定する（Ｓ５０９）。いずれも、ｎは、通信回線番号の数値である。
【００６３】
ＩＳＤＮ通信回線が１つしかないと判断すると（Ｓ５０１）、Ｓ５１０では、ＰＳＴＮ通信回線があるか否かを判断し、Ｓ５１１では、ＬＡＮ通信回線があるか否かを判断する。ＰＳＴＮ通信回線があれば、通信回線名称を、「ＩＳＤＮ」と決定し（Ｓ５１２）、ＰＳＴＮ通信回線が無くＬＡＮ通信回線があれば、名称を、「ＦＡＸ」と決定し（Ｓ５１３）、ＰＳＴＮ通信回線もＬＡＮ通信回線も無ければ、ファクシミリ装置ＦＳ１には、ＩＳＤＮ通信回線が１つあるのみであるので、通信回線名称は無しと判断する（Ｓ５１４）。
【００６４】
上記処理によって、通信回線名称を自動で決定する場合、ファクシミリ装置ＦＳ１に接続されている通信回線の各種類毎に、通信回線が複数存在しているか否かという情報に基づいて、また、複数存在している場合には何番目の通信回線であるかという情報に基づいて、各通信回線の通信回線名称がそれぞれ一意的に決定される。
【００６５】
例をあげると、ファクシミリ装置ＦＳ１に、ＰＳＴＮ通信回線とＩＳＤＮ通信回線とＬＡＮ通信回線とが、それぞれ１通信回線ずつ接続されている場合、通信回線名称は、それぞれ「ＰＳＴＮ」、「ＩＳＤＮ」、「ＬＡＮ」となる。また、ＰＳＴＮ通信回線が２通信回線接続され、ＩＳＤＮ通信回線が１通信回線接続されている場合、それぞれ、「ＰＳＴＮ：１」、「ＰＳＴＮ：２」、「ＩＳＤＮ」という通信回線名称になる。さらに、ＰＳＴＮ通信回線が１通信回線とＬＡＮ通信回線が１通信回線の合計２通信回線接続されている場合には、それぞれ「ＦＡＸ」、「ＬＡＮ」という名称になる。
【００６６】
なお、上記動作は、ＲＯＭ１０２やＲＡＭ１０３に記憶したプログラムに基づいて、ＣＰＵ１０１が実行するものであるが、フロッピー（登録商標）ディスクや、ハードディスク、光ディスク、光磁気ディスク、ＣＤ−ＲＯＭ、ＤＶＤ−ＲＯＭ、メモリカード等の各種記憶媒体に、上記のようなプログラムを格納し、これを専用の読取装置がコンピュータ等の情報処理装置またはファクシミリ装置ＦＳ１内に取り込み、これをＣＰＵ１０１で実行するようにしてもよい。
【００６７】
コピー機能や電子ファイル機能、プリンタ機能、データ処理機能等を通信機能と複合させたファクシミリ装置や、電話機、読取回路や記録回路と分離された通信装置、または、コンピュータ等の情報処理装置におけるデータ通信制御に、上記実施例を適用するようにしてもよい。
【００６８】
複数通信回線を収容した装置等において各通信回線名の設定、表示のさせ方等に、上記実施例を提供するようにしてもよい。この場合は、主装置において上記方法によって、通信回線種別、通信回線数等の判断を行い、通信回線名称を決定し、主装置に収容された子電話の表示器に、通信回線名称を表示できればよい。
【００６９】
ところで、従来、複数の電話通信回線を有するファクシミリ装置、または、複数の電話通信回線と接続可能なファクシミリ装置において、通信回線選択用のキーを有し、オペレータはそのキーを押下することによって、複数の電話通信回線のうちで、１つの電話通信回線を選択することが可能である。
【００７０】
また、従来、ファクシミリ通信用の電話通信回線と、電子メール用の通信回線とを有するファクシミリ装置、または、ファクシミリ通信用の電話通信回線と、電子メール用の通信回線との両方と接続可能なファクシミリ装置においては、ファクシミリ通信であるか電子メールであるかを選択するキーを有し、オペレータは、そのキーを押下することによって、ファクシミリ通信または電子メールを選択することが可能である。
【００７１】
図７は、本発明の第２の実施例であるファクシミリ装置ＦＳ２の構成を示すブロック図である。
【００７２】
ファクシミリ装置ＦＳ２において、ＣＰＵ２０１は、システム制御部であり、装置全体を制御する。ＲＯＭ２０２は、ＣＰＵ２０１の制御プログラムを格納するものである。ＲＡＭ２０３は、ＳＲＡＭ等で構成され、プログラム制御変数等を格納するものである。また、オペレータが登録した送信宛先電話番号や電子メールアドレス、各種設定値、装置の管理データ類、各種ワーク用バッファもＲＡＭ２０３に格納されるものである。
【００７３】
蓄積メモリ２０４は、ＤＲＡＭ等で構成され、画像データを蓄積するものである。外部表示部２０５は、ＬＣＤ、ＬＥＤ等でユーザに表示通知するものである。スピーカ２０６は、音声でユーザに通知、警告をしたり、ＰＳＴＮ通信回線２０９またはＩＳＤＮ通信回線２１１を通して送受している信号音をモニタするものである。
【００７４】
ＭＯＤＥＭ２０７は、ファクシミリの送受信信号の変復調を行うものであり、ＮＣＵ２０８は、選択信号（ダイヤルパルスまたはトーンダイヤラ）をＰＳＴＮ通信回線（アナログ公衆通信回線網）２０９に送出する機能を有し、呼び出し信号の検出による自動着信動作も行う。ＣＣＵ２１０は、ＩＳＤＮ通信回線（総合デジタル通信網）２１１と接続する通信回線制御を行う。
【００７５】
画像処理部２１２は、読み取られた画像データに補正処理を施して高精細な画像データを出力するものである。スキャナ２１３は、ＣＳイメージセンサ、原稿搬送機構等で構成され、原稿を光学的に読み取って電気的な画像データに変換するものである。操作部２１４は、キーボード、タッチパネル等で構成され、オペレータが各種入力操作を行うためのものである。
【００７６】
プリンタフォーマッタ２１５は、ＰＣやワークステーション等、外部機器からのファイルデータのプリントを行う際に、プリンタ記述言語を解析し、画像データに変換するものである。プリンタ２１６は、受信画像やファイルデータを記録紙に記録する装置である。
【００７７】
ＬＡＮｉ／ｆ２１８は、電子メール用の通信回線であるＬＡＮ通信回線２１９にファクシミリ装置ＦＳ２を接続するインタフェースであり、ＬＡＮ制御部２１７によって制御される。
【００７８】
ファクシミリ装置ＦＳ２の構成のうちで、ＭＯＤＥＭ２０７、ＮＣＵ２０８、ＣＣＵ２１０、ＬＡＮ制御部２１７、ＬＡＮｉ／ｆ２１８は、それぞれ装置に着脱可能な構成になっている。すなわち、たとえばＬＡＮ制御部２１７とＬＡＮｉ／ｆ２１８とがファクシミリ装置ＦＳ２から取り外された状態であれば、ＰＳＴＮ通信回線とＩＳＤＮ通信回線との２通信回線のみを有するファクシミリ装置ＦＳ２になり、さらに、ＣＣＵ２１０も取り外された状態であれば、ＰＳＴＮ通信回線のみ１通信回線のファクシミリ装置ＦＳ２になる。
【００７９】
ここでは、図２から図６のフローチャートに基づいてＰＳＴＮ通信回線とＩＳＤＮ通信回線とＬＡＮ通信回線とが、それぞれ１通信回線ずつ接続されていることが判断され、通信回線名称は、それぞれ「ＰＳＴＮ」、「ＩＳＤＮ」、「ＬＡＮ」と登録された場合について説明する。
【００８０】
ファクシミリ装置ＦＳ２は、ＰＳＴＮ通信回線２０９と、ＩＳＤＮ通信回線２１１と、ＬＡＮ通信回線２１９との３つの通信回線を有する。このうち、ＰＳＴＮ通信回線とＩＳＤＮ通信回線とは、ファクシミリ通信用の通信回線であり、ＬＡＮ通信回線は、電子メール用の通信回線である。通信相手先を指定する場合、ワンタッチダイヤルや短縮ダイヤルに相手先の電話番号やメールアドレスを予め登録し、対応するワンタッチキーを押下したり、短縮番号を入力する方法と、テンキーを使用し、直に電話番号やメールアドレスを入力する方法とがある。
【００８１】
また、操作部２１４には、通信回線を選択する通信回線選択キーがある。オペレータが通信の操作を行う際、この通信回線選択キーを押下することによって、通信回線を選択できる。ファクシミリ装置ＦＳ２においては、ＰＳＴＮ通信回線とＩＳＤＮ通信回線とＬＡＮ通信回線とのうちで、いずれか１つの通信回線が、起動時に初期値として自動的に選択されているので、通信回線選択キーが押下されなかった場合であっても、いずれかの通信回線を使用して通信することができる。
【００８２】
次に、ファクシミリ装置ＦＳ２における通信回線選択キー押下後の動作について説明する。
【００８３】
図８は、ファクシミリ装置ＦＳ２における通信回線選択キー押下後の動作を示すフローチャートである。
【００８４】
まず、ＣＰＵ２０１は、オペレータが通信回線選択キーを押下したか否かを判断する（Ｓ８０１）。押下していない場合は、この処理を終了する。
【００８５】
次に、オペレータが通信回線選択キーを押下したときに、ＲＯＭ２０２内の制御プログラムは、使用可能な通信回線が２通信回線以上あるか否かを判断する（Ｓ８０２）。
【００８６】
ファクシミリ装置ＦＳ２では、ＰＳＴＮ通信回線が使用可能であるか否かを判断する場合、ＭＯＤＥＭ２０７が存在するか否かによって判断し、ＩＳＤＮ通信回線が使用可能であるか否かを判断する場合、ＣＣＵ２１０が存在するか否かによって判断し、ＬＡＮ通信回線が使用可能であるか否かを判断する場合、ＬＡＮ制御部２１７が存在するか否かによって判断する。
【００８７】
ただし、各通信回線が使用可能であるか否かを判断する場合、各通信回線を使用するか否かによって、オペレータが予め設定できるようにし、その設定内容によって判断するようにしてもよく、その通信回線が現在使用中であるか否かによって判断するようにしてもよい。
【００８８】
Ｓ８０２では、使用可能な通信回線が２通信回線以上ないと判断すると、何もせずに処理を終える。ただし、図８のフローチャートには示していないが、この場合に、通信回線選択ができないことを、オペレータに知らせるために、外部表示部２０５に、その旨を表示したり、スピーカ２０６から警告音を発したりするようにしてもよい。
【００８９】
Ｓ８０２では、使用可能な通信回線が２通信回線以上あると判断した場合、現在選択されている通信回線に応じて、通信回線を選択する。
【００９０】
すなわち、まず、現在選択されている通信回線が、ＰＳＴＮ通信回線であるか否かを判断し（Ｓ８０３）、現在選択されている通信回線が、ＰＳＴＮ通信回線であれば、ＩＳＤＮ通信回線が使用可能であるか否かを判断する（Ｓ８０４）。ここで、ＩＳＤＮ通信回線が使用可能であると判断すれば、通信回線選択キーが押されたことによって、現在選択されているＰＳＴＮ通信回線の選択状態からＩＳＤＮ通信回線の選択に切替える（Ｓ８０５）。この際、外部表示部２０５に図２から図６のフローに従って決定された「ＩＳＤＮ」という回線名称を表示する。これによってオペレータには、どの回線が選択されたか容易に判別ができる。
【００９１】
これによって、ＩＳＤＮ通信回線が選択されるので、ＩＳＤＮ通信回線のための発呼動作を行い（セットアップメッセージを交換機に送出する）、ＩＳＤＮ通信回線の規格に従って通信を開始する（Ｓ８１２）（たとえば、スキャナ２１３で読み取った画情報を、Ｇ４ファクシミリの規格に従って通信する）。
【００９２】
Ｓ８０４で、ＩＳＤＮ通信回線が使用可能ではないと判断すれば、次に、ＬＡＮ通信回線は使用可能であるか否かを判断する（Ｓ８０７）。ここで、ＬＡＮ通信回線が使用可能であると判断すれば、通信回線選択キーが押されたことによって、現在選択されているＰＳＴＮ通信回線の選択状態から、ＬＡＮ通信回線の選択に切替える（Ｓ８０８）。この際、外部表示部２０５に図２から図６のフローに従って決定された「ＬＡＮ」という回線名称を表示する。これによってオペレータには、どの回線が選択されたか容易に判別ができる。
【００９３】
Ｓ８０２において、使用可能な通信回線が２通信回線以上あると既に判断されているので、現在選択されている通信回線がＰＳＴＮ通信回線であるときに、Ｓ８０４で、ＩＳＤＮ通信回線を使用できないと判断した場合、Ｓ８０７で、ＬＡＮ通信回線を使用できないと判断するケースはあり得ない。
【００９４】
Ｓ８０３において、現在選択されている通信回線が、ＰＳＴＮ通信回線ではないと判断した場合、現在選択されている通信回線がＩＳＤＮ通信回線であるか否かを判断する（Ｓ８０６）。現在選択されている通信回線がＩＳＤＮ通信回線であると判断した場合、ＬＡＮ通信回線が使用可能であるか否かを判断する（Ｓ８０７）。
【００９５】
ここで、ＬＡＮ通信回線が使用可能であると判断すれば、ＬＡＮ通信回線を選択する（Ｓ８０８）。この際、外部表示部２０５に図２から図６のフローに従って決定された「ＬＡＮ」という回線名称を表示する。これによって、ＬＡＮ通信回線のプロトコル（ＴＣＰ／ＩＰ等）に従って、通信を開始する（Ｓ８１２）（たとえば、スキャナ２１３で読み取った画情報を、電子メールの規格に従って通信する）。
【００９６】
Ｓ８０７で、ＬＡＮ通信回線が使用可能ではないと判断すれば、次に、ＰＳＴＮ通信回線が使用可能であるか否かを判断する（Ｓ８１０）。ここで、ＰＳＴＮ通信回線が使用可能であると判断すれば、ＰＳＴＮ通信回線を選択する（Ｓ８１１）。この際、外部表示部２０５に図２から図６のフローに従って決定された「ＰＳＴＮ」という回線名称を表示する。これによって、ＰＳＴＮ通信回線が選択されるので、ＰＳＴＮ通信回線のための発呼動作を行い、ＰＳＴＮ通信回線のためのプロトコルに従って、通信を開始する（Ｓ８１２）（たとえば、スキャナ２１３で読み取った画情報を、Ｇ３ファクシミリの規格に従って通信する）。
【００９７】
Ｓ８０６において、現在選択されている通信回線がＩＳＤＮ通信回線ではないと判断した場合、現在選択されている通信回線がＬＡＮ通信回線であるか否かを判断する（Ｓ８０９）。現在選択されている通信回線がＬＡＮ通信回線であると判断した場合、ＰＳＴＮ通信回線が使用可能であるか否かを判断し（Ｓ８１０）、ＰＳＴＮ通信回線が使用可能であると判断すれば、ＰＳＴＮ通信回線を選択する（Ｓ８１１）。この際、外部表示部２０５に図２から図６のフローに従って決定された「ＰＳＴＮ」という回線名称を表示する。Ｓ８１０で、ＰＳＴＮ通信回線が使用可能ではないと判断すれば、ＩＳＤＮ通信回線が使用可能であるか否かを判断し（Ｓ８０４）、以下、上記と同様の処理を行う。
【００９８】
Ｓ８０３とＳ８０６とＳ８０９において、いずれもＮＯの判断がなされることは、通常はあり得ないが、処理中にシステムの状態が変化した場合を考慮し、何もせずに処理を終了する。この場合に、エラーが発生したことをオペレータに知らせるために、外部表示部２０５に、その旨を表示したり、スピーカ２０６から警告音を発したりしてもよい。
【００９９】
上記処理によって、通信回線選択キーを押下することによって、使用可能な通信回線を順に選択することが可能になる。すなわち、たとえば、ＰＳＴＮ通信回線とＩＳＤＮ通信回線とＬＡＮ通信回線とのいずれもが使用可能である場合、通信回線選択キーの押下を繰り返すことによって、ＰＳＴＮ通信回線→ＩＳＤＮ通信回線→ＬＡＮ通信回線→ＰＳＴＮ通信回線→…の順で、通信を行う通信回線を選択することができる。さらに、選択されている回線の名称も表示するのでどの回線を選択しているかがわかりやすい。
【０１００】
ここでは、図２から図６のフローチャートに基づいてＰＳＴＮ通信回線とＩＳＤＮ通信回線とＬＡＮ通信回線とが、それぞれ１通信回線ずつ接続されていることが判断され、通信回線名称は、それぞれ「ＰＳＴＮ」、「ＩＳＤＮ」、「ＬＡＮ」と登録された場合について説明したが、これに限らず、ＰＳＴＮ通信回線が２通信回線接続され、ＩＳＤＮ通信回線が１通信回線接続されている場合、それぞれ、「ＰＳＴＮ：１」、「ＰＳＴＮ：２」、「ＩＳＤＮ」という通信回線名称になる。この場合においても、図８の各ステップにおけるＰＳＴＮ、ＩＳＤＮ、ＬＡＮを各々「ＰＳＴＮ：１」、「ＰＳＴＮ：２」、「ＩＳＤＮ」に置き換えることによって適用することが可能である。
【０１０１】
さらに、図２から図６のフローチャートに基づいてＰＳＴＮ通信回線が１通信回線とＬＡＮ通信回線が１通信回線の合計２通信回線接続されている場合には、それぞれ「ＦＡＸ」、「ＬＡＮ」という名称になる。さらに、このような場合においても、同様に、ＰＳＴＮ通信回線とＬＡＮ通信回線との２通信回線のみが使用可能な場合には、ＰＳＴＮ通信回線→ＬＡＮ通信回線→ＰＳＴＮ通信回線→…の順で通信を行う通信回線を選択することができる。さらに、選択されている回線の名称が、「ＦＡＸ」、「ＬＡＮ」と表示される。
【０１０２】
ファクシミリ装置ＦＳ２は、ＰＳＴＮ通信回線とＩＳＤＮ通信回線とＬＡＮ通信回線との合計３通信回線の場合であるが、ＰＳＴＮ通信回線を複数接続可能なシステムや、ＬＡＮ通信回線を複数接続可能なシステムであっても、ファクシミリ装置ＦＳ２と同様の処理を適応することができる。
【０１０３】
なお、上記動作は、ＣＰＵ２０１がＲＯＭ２０２やＲＡＭ２０３に記憶したプログラムに基づいて実行するものであるが、上記プログラムを、フロッピー（登録商標）ディスクやハードディスク、光ディスク、光磁気ディスク、ＣＤ−ＲＯＭ、ＤＶＤ−ＲＯＭ、メモリカード等の各種記憶媒体に格納し、これを専用の読取装置によって、コンピュータ等の情報処理装置、またはファクシミリ装置ＦＳ２内に取り込み、これをＣＰＵ２０１で実行するようにしてもよい。
【０１０４】
また、コピー機能や電子ファイル機能、プリンタ機能、データ処理機能等を通信機能と複合させたファクシミリ装置や、電話機、読取回路や記録回路と分離された通信装置、または、コンピュータ等の情報処理装置におけるデータ通信制御に、ファクシミリ装置ＦＳ２を適用するようにしてもよい。
【０１０５】
【発明の効果】
請求項１〜６、１４〜１９記載の発明によれば、複数通信回線収容装置等において、適切な通信回線名称を表示することが可能になり、オペレータが容易に通信回線を識別することが可能になり、操作上の混乱を最小限に抑えることができるという効果を奏する。
【０１０６】
また、請求項６〜１９記載の発明によれば、複数の通信回線と接続可能な装置において、オペレータが混乱を招くことなく、使用可能な通信回線を選択できるという効果を奏する。
【図面の簡単な説明】
【図１】本発明の第１の実施例であるファクシミリ装置ＦＳ１の構成を示すブロック図である。
【図２】ファクシミリ装置ＦＳ１に接続されている通信回線の名称を決定する動作を示すフローチャートである。
【図３】ファクシミリ装置ＦＳ１に接続されているＬＡＮ通信回線の名称を自動決定する動作を示すフローチャートである。
【図４】ファクシミリ装置ＦＳ１に接続されているＰＳＴＮ通信回線の名称を自動決定する動作を示すフローチャートである。
【図５】ファクシミリ装置ＦＳ１に接続されているＩＳＤＮ通信回線の名称を自動決定する動作を示すフローチャートである。
【図６】ファクシミリ装置ＦＳ１に接続されている各通信回線の種別を判断する動作を示すフローチャートである。
【図７】本発明の第２の実施例であるファクシミリ装置ＦＳ２の構成を示すブロック図である。
【図８】ファクシミリ装置ＦＳ２における通信回線選択キー押下後の動作を示すフローチャートである。
【符号の説明】
ＦＳ１、ＦＳ２…ファクシミリ装置、
１０１、２０１…ＣＰＵ、
１０２、２０２…ＲＯＭ、
１０３、２０３…ＲＡＭ、
１０４、２０４…蓄積メモリ、
１０５、２０５…外部表示部、
１０９、２０９…ＰＳＴＮ通信回線、
１１０、２１０…ＣＣＵ、
１１１、２１１…ＩＳＤＮ通信回線、
１１９、２１９…ＬＡＮ通信回線。
【図１】
0003805217.tif 000002
【図２】
0003805217.tif 000003
【図３】
0003805217.tif 000004
【図４】
0003805217.tif 000005
【図５】
0003805217.tif 000006
【図６】
0003805217.tif 000007
【図７】
0003805217.tif 000008
【図８】
0003805217.tif 000009